【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
下記の式IIの液晶単量体の重合によって得られた液晶重合体と、式IIの液晶単量体の基礎構造を含む下記の式Ｉの少なくとも１つの非液晶添加剤と、を含むコレステリック液晶組成物であって、
式IIが、
【化１】
2006520410.tif 000001
によって表され、
上式中、Ｍ、Ｎ、およびＱが各々独立に、
【化２】
2006520410.tif 000002
であり、
ｂおよびｃが各々独立に０または１であり、
Ｗ、Ｘ、およびＶが各々、無方向的および独立に、共有結合、−Ｃ（＝Ｏ）−Ｏ−、−Ｃ（＝Ｏ）−Ｓ−、−Ｃ（＝Ｏ）−Ｓｅ−、−Ｃ（＝Ｏ）−Ｔｅ−、−（ＣＨ2）k−（ｋは１〜８である）、−（ＣＨ＝ＣＨ）−、−（Ｃ≡Ｃ）−、−ＣＨ＝Ｎ−、−ＣＨ2−Ｏ−、−Ｃ（＝Ｏ）−、−Ｏ−、−Ｏ−Ｃ（＝Ｏ）−Ｏ−、またはそれらの組合せであり、
Ｙ、Ｚ、およびＵが各々独立に−Ｈ、−Ｃｌ、−Ｆ、−Ｂｒ、−Ｉ、−ＯＨ、−Ｏ（ＣＨ2）jＣＨ3（ｊは０〜８である）、−ＣＨ3、−ＣＦ3、−ＯＣＦ3、−ＣＮ、−ＮＯ2、アリール、アリールアルコキシ、カルボン酸、チオエーテル、またはアミドであり、
ｅ、ｆ、およびｇが各々独立に０、１、２、３、または４であり、
ｈが１、２、または３であり、
Ｐがアクリレート、メタクリレート、アクリルアミド、イソシアネート、エポキシ、シラン又はビニルであり、かつ
式Ｉが、
【化３】
2006520410.tif 000003
によって表され、
上式中、Ｍ、Ｎ、およびＱ、Ｗ、Ｘ、およびＶ、Ｙ、Ｚ、およびＵ、ｂ、ｃ、ｅ、ｆ、およびｇ、ｈは、式IIにおいて上記したものに同じであり、そして
Ｒが−Ｈ、−ＯＨ、−ＣＮ、Ｃ1−Ｃ8アルキル、Ｃ1−Ｃ8アルコキシ、アリール基、アリールアルコキシ基、カルボン酸基、ハロゲン、チオエーテル、またはアミドである。コレステリック液晶組成物。
【請求項２】
前式IIのＰがアクリレート又はメタクリレートである、請求項１に記載のコレステリック液晶組成物。
【請求項３】
該コレステリック液晶組成物は、前記非液晶添加剤を有しないコレステリック液晶組成物よりも大きな透過率を有している、請求項１に記載のコレステリック液晶組成物。
【請求項４】
前記液晶重合体が、シアノビフェニルベンゾエートエチルアクリレートであり、前記非液晶添加剤が、４’−シアノ−１，１’−ビフェニル−４−イル４−メトキシベンゾエート、４’−シアノ−１，１’−ビフェニル−４−イル４−エトキシベンゾエート、４’−シアノ−１，１’−ビフェニル−４−イル４−プロポキシベンゾエート、４’−シアノ−１，１’−ビフェニル−４−イル４−ブトキシベンゾエート、またはそれらの組合せである、請求項１に記載のコレステリック液晶組成物。
【請求項５】
ディスプレイ媒体と、
請求項１に記載のコレステリック液晶組成物を含む光学体とを含む光ディスプレイ。
【請求項６】
前記光学体が反射偏光子である、請求項５に記載の光ディスプレイ。
【請求項７】
下記の式IIの液晶単量体の重合によって得られた液晶重合体と、式IIの基礎構造を含む下記の式Ｉの少なくとも１つの非液晶添加剤と、を含むコレステリック液晶組成物であって、
式IIが、
【化４】
2006520410.tif 000004
によって表され、
上式中、Ｍ、Ｎ、およびＱが、各々独立に、フェニル又はナフタレン又はビフェニル芳香族環のいずれかを含有し、
ｂおよびｃが各々独立に０又は１
であり、
Ｗ、Ｘ、およびＶが各々、無方向的および独立に、共有結合、−Ｃ（＝Ｏ）−Ｏ−、−Ｃ（＝Ｏ）−Ｓ−、−Ｃ（＝Ｏ）−Ｓｅ−、−Ｃ（＝Ｏ）−Ｔｅ−、−（ＣＨ2）k−（ｋは１〜８である）、−（ＣＨ＝ＣＨ）−、−（Ｃ≡Ｃ）−、−ＣＨ＝Ｎ−、−ＣＨ2−Ｏ−、−Ｃ（＝Ｏ）−、−Ｏ−、−Ｏ−Ｃ（＝Ｏ）−Ｏ−、またはそれらの組合せであり、
Ｙ、Ｚ、およびＵが各々独立に−Ｈ、−Ｃｌ、−Ｆ、−Ｂｒ、−Ｉ、−ＯＨ、−Ｏ（ＣＨ2）jＣＨ3（ｊは０〜８である）、−ＣＨ3、−ＣＦ3、−ＯＣＦ3、−ＣＮ、−ＮＯ2、アリール、アリールアルコキシ、カルボン酸、チオエーテル、またはアミドであり、
ｅ、ｆ、およびｇが各々独立に０、１、２、３、または４であり、
ｈが１、２、または３であり、
Ｐがアクリレート、メタクリレート、アクリルアミド、イソシアネート、エポキシ、シラン又はビニルであり、かつ
式Ｉが、
【化５】
2006520410.tif 000005
によって表され、
上式中、Ｍ、Ｎ、およびＱ、Ｗ、Ｘ、およびＶ、Ｙ、Ｚ、およびＵ、ｂ、ｃ、ｅ、ｆ、およびｇ、ｈは、式IIにおいて上記したものに同じであり、そして
Ｒが−Ｈ、−ＯＨ、−ＣＮ、Ｃ1−Ｃ8アルキル、Ｃ1−Ｃ8アルコキシ、アリール基、アリールアルコキシ基、カルボン酸基、ハロゲン、チオエーテル、またはアミドである。コレステリック液晶組成物。
【請求項８】
前記液晶重合体が、シアノビフェニルベンゾエートエチルアクリレートであり、前記非液晶添加剤が、４’−シアノ−１，１’−ビフェニル−４−イル４−メトキシベンゾエート、４’−シアノ−１，１’−ビフェニル−４−イル４−エトキシベンゾエート、４’−シアノ−１，１’−ビフェニル−４−イル４−プロポキシベンゾエート、４’−シアノ−１，１’−ビフェニル−４−イル４−ブトキシベンゾエート、またはそれらの組合せである、請求項７に記載のコレステリック液晶組成物。
【請求項９】
ディスプレイ媒体と、
請求項７に記載のコレステリック液晶組成物を含む光学体とを含む光ディスプレイ。
【請求項１０】
コレステリック液晶組成物を製造する方法であって、下記の工程：
（ａ）下記の式IIによって表わされる少なくとも１つのコレステリック液晶前駆物質を選択すること、
（ｂ）前記少なくとも１つのコレステリック液晶前駆物質の基礎構造を含み、かつ下記の式Ｉによって表わされる少なくとも１つの非液晶添加剤を選択すること、
【化６】
2006520410.tif 000006
【化７】
2006520410.tif 000007
（上式中、Ｍ、Ｎ、およびＱが各々独立に、
【化８】
2006520410.tif 000008
であり、
ｂおよびｃが各々独立に０または１であり、
Ｗ、Ｘ、およびＶが各々、無方向的および独立に、共有結合、−Ｃ（＝Ｏ）−Ｏ−、−Ｃ（＝Ｏ）−Ｓ−、−Ｃ（＝Ｏ）−Ｓｅ−、−Ｃ（＝Ｏ）−Ｔｅ−、−（ＣＨ2）k−（ｋは１〜８である）、−（ＣＨ＝ＣＨ）−、−（Ｃ≡Ｃ）−、−ＣＨ＝Ｎ−、−ＣＨ2−Ｏ−、−Ｃ（＝Ｏ）−、−Ｏ−、−Ｏ−Ｃ（＝Ｏ）−Ｏ−、またはそれらの組合せであり、
Ｙ、Ｚ、およびＵが各々独立に−Ｈ、−Ｃｌ、−Ｆ、−Ｂｒ、−Ｉ、−ＯＨ、−Ｏ（ＣＨ2）jＣＨ3（ｊは０〜８である）、−ＣＨ3、−ＣＦ3、−ＯＣＦ3、−ＣＮ、−ＮＯ2、アリール、アリールアルコキシ、カルボン酸、チオエーテル、またはアミドであり、
ｅ、ｆ、およびｇが各々独立に０、１、２、３、または４であり、
ｈが１、２、または３であり、
Ｒが−Ｈ、−ＯＨ、−ＣＮ、Ｃ1−Ｃ8アルキル、Ｃ1−Ｃ8アルコキシ、アリール基、アリールアルコキシ基、カルボン酸基、ハロゲン、チオエーテル、またはアミドであり、
そして
Ｐがアクリレート、メタクリレート、アクリルアミド、イソシアネート、エポキシ、シラン又はビニルである）
（ｃ）前記少なくとも１つのコレステリック液晶前駆物質と前記少なくとも１つの非液晶添加剤を組み合わせてコレステリック液晶組成物を形成すること、
（ｄ）前記コレステリック液晶組成物を試験してその通過透過率およびその吸光度透過率を測定すること、および
（ｅ）（ｉ）前記非液晶添加剤を含有しない前記コレステリック液晶組成物から形成されたフィルムより大きい通過透過率を有するかもしくは前記非液晶添加剤を含有しない前記コレステリック液晶組成物から形成されたフィルムより小さい吸光度透過率を有する前記コレステリック液晶組成物を選択すること、または
（ｉｉ）前記コレステリック液晶組成物が、前記非液晶添加剤を含有しない前記コレステリック液晶組成物から形成されたフィルムより小さい通過透過率および前記非液晶添加剤を含有しない前記コレステリック液晶組成物から形成されたフィルムより大きい吸光度透過率を有するとき、前記工程（ａ）〜（ｄ）を反復すること、
を含む製造方法。
【手続補正２】
【補正対象書類名】明細書
【補正対象項目名】発明の名称
【補正方法】変更
【補正の内容】
【発明の名称】コレステリック液晶組成物及び光ディスプレイ